(57)【要約】【課題】複数のメーカ機器を組み合わせたクライアントサーバモデルの電話機システムにおいて、保留音は機器メーカに依存するためシステム導入ユーザが被保留相手に聞かせたい／保留相手が聞きたい保留音の要求に応えることが困難である。【解決手段】一般的な電話機システム１０００で用いられる電話機４００の発信機能、着信機能、転送機能を使用して通話相手を保留音源端末５００に転送接続する。保留解除する場合も保留解除したい電話機４００−１から先の被保留電話機４００−２が接続されている保留音源端末５００に接続後、保留音源端末５００からの転送制御にて保留解除する。この方法を用いることで、システム１０００として特別な処理を追加することなく保留および保留解除を実現する。【選択図】図１
2008136091.tif 000002
【特許請求の範囲】
【請求項１】
複数の保留音データを保持する保留音源装置であって、
着信に対して応答する着信応答手段と、
前記着信応答手段が保留音送出要求端末からの着信に応答したとき、前記保留音送出要求端末が通知する保留音送出先端末番号と、保留音送出要求端末番号とを記憶する保留音送出情報記憶手段と、
前記保留音送出先端末と接続する接続手段と、
複数の保留音データを蓄積する保留音蓄積手段と、
前記複数の保留音データの一つを選択して、選択した保留音データを前記保留音送出先端末へ送信する送信手段と、
前記選択した保留音データの送信中に、前記保留音送出要求端末から着信があったとき、前記選択した保留音データの送信を停止し、前記保留音送出先端末との呼を前記保留音送出要求端末へ転送する転送手段とを備えたことを特徴とする保留音源装置。
【請求項２】
請求項１に記載の保留音源装置であって、
前記送信手段は、タイマを含み、前記選択した保留音の前記保留音送出先端末への送信を開始したとき、前記タイマをスタートし、
前記転送手段は、前記選択した保留音データの送信中に、前記タイマがタイムアウトしたとき、前記選択した保留音データの送信を停止し、前記保留音送出先端末との呼を前記保留音送出要求端末へ転送することを特徴とする保留音源装置。
【請求項３】
請求項１または請求項２に記載の保留音源装置であって、
前記着信応答手段は、複数の回線番号に応答し、
前記保留音送出情報記憶手段は、さらに着信した回線番号と、前記着信した回線番号と対応する保留音データ種類とを記憶する回線番号情報記憶手段をさらに備え、
前記送信手段は、前記着信した回線番号と、前記回線番号情報記憶手段が記憶する保留音データ種類とから、所定の保留音データを選択することを特徴とする保留音源装置。
【請求項４】
請求項１または請求項２に記載の保留音源装置であって、
前記転送端末情報記憶手段は、さらに複数の保留音送出端末番号と、前記保留音送出端末番号と対応する保留音データ種類とを記憶する転送先端末番号情報をさらに備え、
前記送信手段は、前記発信端末が通知した保留音送出端末番号と、前記保留音送出先端末番号情報記憶手段が記憶する保留音データ種類とから、所定の保留音データを選択することを特徴とする保留音源装置。
【発明の詳細な説明】
【技術分野】
【０００１】
本発明は保留音源装置にかかり、特に複数の保留音を待ち、簡単な操作による保留音の選択／送出および、保留解除が実現できる保留音源装置に関する。
【背景技術】
【０００２】
特許文献１に記載のＩＰ電話機は、通話を保留するときにＩＰ電話機に設けられた保留ボタンを押下することで、ＩＰ電話機に予め設定されている保留音を通話相手に送出している。
【０００３】
一方、特許文献２に記載の被保留ＩＰ電話機は、通話相手から保留することを示す保留通知を受信したあと、格納している保留音を再生している。このように、ＩＰ電話機は製造メーカに依存する保留音の仕様がある。
【０００４】
【特許文献１】特開平０５−１２２３５０号公報
【特許文献２】特開２００６−０３３６８３号公報
【発明の開示】
【発明が解決しようとする課題】
【０００５】
異なるメーカの機器を組み合わせたクライアントサーバモデルのＩＰ電話機システムの場合、通話中の保留操作端末が保留操作を行うと、この保留操作端末、通話相手の被保留端末またはサーバのいずれかが有している保留音を被保留者が聞くことになる。ここで、どこの保留音源を使用するかはシステムに依存する。この場合、端末側に複数の保留音源を備えると、電話機の高価格化を招くという欠点がある。また、サーバ側が複数保留音源を備えると、端末との間に保留音源の選択インターフェースを設ける必要があり、そのため異なる各端末メーカ機器がその制御手順をわざわざ具備しなければ実現できないという欠点がある。
【０００６】
更に、保留音の選択が出来ない電話機システムを導入している場合などでは、後々に複数の保留音から選択したものを被保留者に送出したいというユーザニーズに応えることが困難である。また、それを実現しようとして新たに制御手順を追加したとしても、電話機システムを構成する全ての機器がその新たな制御手順を実装しなければならずメーカが異なるネットワーク機器の場合は、非現実的である。
【０００７】
本発明は、複数の保留音を待ち、一般的な電話機システムの端末が有する発信機能、着信機能、転送機能を具備し、簡単な操作による保留音の選択／送出および、保留解除が実現できる保留音源装置を提供することを目的とする。
【課題を解決するための手段】
【０００８】
上記目的は、複数の保留音データを保持し、着信に対して応答する着信応答手段と、この着信応答手段が発信端末からの着信に応答したとき、発信端末が通知する転送端末番号と、発信端末番号とを記憶する転送端末情報記憶手段と、転送端末番号に対応する転送端末と接続する接続手段と、複数の保留音データの一つを選択して、選択した保留音データを転送端末へ送信する送信手段と、選択した保留音データの送信中に、発信端末から着信があったとき、選択した保留音データの送信を停止し、転送端末との呼を発信端末番号へ転送する転送手段とを備える保留音源装置により、達成できる。
【発明の効果】
【０００９】
保留音源装置を、システムに組み込むことで、ユーザの希望する保留音を通話相手に送信することができる。
【発明を実施するための最良の形態】
【００１０】
以下本発明の実施の形態について、実施例を用い図１から図８を参照しながら説明する。ここで、図１は電話システムのブロック図である。図２は保留音源端末のハードウェアブロック図である。図３は呼管理情報テーブルを説明する図である。図４は内線番号対応の設定テーブルを説明する図である。図５は被転送番号対応の設定テーブルを説明する図である。図６は保留動作のシーケンス図である。図７は保留解除動作のシーケンス図である。図８はタイムアウトによる保留解除動作のシーケンス図である。なお、同一部位には同じ参照番号を振り、説明は繰り返さない。
【００１１】
図１において、電話システム１０００は、ＩＰネットワーク２００に接続された、ＩＰ−ＰＢＸ等の呼制御を実行するサーバ１００と、ゲートウェイ（ＧＷ）３００と、複数の電話機４００と、各電話機４００に替って保留音送出を代行する保留音源端末５００とから構成される。電話システム１０００のＧＷ３００には、公衆網６００が接続され、電話機４００はＧＷ３００を介して公衆網６００に接続された図示しない加入者電話と接続する。また、電話機４００−ｌ（１≦ｌ≦ｎ）と電話機４００−ｍ（１≦ｍ≦ｎ、ｍ≠ｌ）とは、サーバ１００を介して接続する。
【００１２】
電話機端末４００、保留音源端末５００は、予めサーバ１００に設定してあるユーザアカウント（ＩＤ、内線番号、パスワードなど）を各々電話機４００に設定しておく。これらの電話機４００、及び保留音源端末５００がＩＰネットワーク２００に接続するとき、サーバ１００に電話機４００、及び保留音源端末５００が所有するアカウントでログオンすることで、電話システム１０００のサービスが利用可能となる。なお、１端末に複数のアカウントを持つことが出来き、１つの端末でアカウント毎に複数の発信／着信、転送／保留などのサービスが受けられる。保留音源端末５００は、複数アカウント（内線番号２０００〜２ＸＸＸ）を持つことで、一度に複数の電話機４００の通信相手（図示せず）へ保留音の送出を実現している。
【００１３】
図２において、保留音源端末５００は、バス５８０に接続された制御部５１０と、記憶部５２０と、ＬＡＮインターフェース部５３０とから構成される。また、記憶部５２０は、プログラム５４０と複数のテーブル５５０〜５７０と保留音データ５９０を記憶する。
【００１４】
制御部５１０は、ＣＰＵなどのマイクロプロセッサとその周辺回路からなるプロセッサであり、所定のプログラム５４０を実行することにより保留音源端末５００内部を制御する。記憶部５２０は、制御部５１０で実行するプログラム５４０と、その処理に必要な各種情報をテーブル５５０、５６０、５７０として記憶する。図２から明らかなように、保留音源端末５００は、コンピュータで実現可能であり、記憶部５２０に記憶されたプログラム５４０を制御部５１０が実行することにより、動作する。
【００１５】
ＬＡＮインターフェース部５３０は、ＩＰネットワーク２００に接続された保留音源端末５００が送受信するIPパケットの送信／受信処理を行う。
【００１６】
保留音源端末５００は、Ｍ個（Ｍ≧１）のチャネルと、Ｌ個（Ｌ≧１）の内線番号を保持し、Ｍ個のチャネル全てが使用中のとき、アクセスしてきた電話機４００にビジー応答する。なお、Ｍ個のチャネルに空きがあれば、内線番号は重複使用できる。
【００１７】
図３を参照して保留音源端末５００が記憶部５２０に保持する呼管理情報テーブル５５０を説明する。図３において、呼管理情報テーブル５５０は、保留音源端末５００が保持する保留音源内線番号５５１と、保留音要求元情報５５２と、保留音送出先情報５５３と、経過時間５５４とから構成される。ここで、保留音要求元情報５５２は、保留音送出要求した電話機４００の要求元情報であり、保留音送出先情報５５３は、保留音を送出する保留音送出先情報である。また経過時間５５４は、転送動作後の保留音経過時間のタイマ情報を記憶する。このタイマ情報は、長時間保留した場合の解除に用いる。
【００１８】
呼管理情報テーブル５５０は、保留音源端末５００が呼の接続をされたとき、他の電話機４００から受信する必要な情報を記憶しておき、１つの呼接続が完了するまで保持されるワークエリアである。したがって、図3において、現在保留音を送出しているのは、内線番号２０００のレコード（列）である。制御部５１０は、呼管理情報テーブル５５０の送出動作が終了する度に対応するレコード（行）のコラム（列）５５２から５５４を消去する。
【００１９】
図４を参照して保留音源端末５００が記憶部５２０に保持する内線番号対応の設定テーブル５６０を説明する。図４において、内線番号対応の設定テーブル５６０は、保留音源端末５００が保持する内線番号５６１と、保留音データ種類５６２とを対応付けたテーブルであり、予めＦＴＰ／ＨＴＴＰにより保守者が登録する。これにより保留音要求元に関連付けられた、例えば保留音要求元のPR用音声メッセージマソングを相手に流すことができる。
【００２０】
図５を参照して保留音源端末５００が記憶部５２０に保持する保留音送出先番号対応の設定テーブル５７０を説明する。図５において、保留音送出先番号対応の設定テーブル５７０は、保留音送出先番号５７１と、保留音データ種類５６２とを対応付けたテーブルであり、予めＦＴＰ／ＨＴＴＰにより保守者が登録する。これにより、保留音送出先に関連けられた、例えば相手が好みそうな曲をながすことができる。
【００２１】
図６を参照して、通話中の電話機４００−１、４００−２のうち、電話機４００−１について保留操作をしたときの、電話機４００−１、４００−２、サーバ１００、保留音源端末５００の間の保留動作シーケンスを説明する。なお、以下の説明では保留音送出先電話機として、電話機４００−２で説明するが、保留音送出先電話機は、ＧＷ３００（すなわち外線通話）であっても良い。
【００２２】
図６において、通話中の電話機４００−１、４００−２のうち、電話機４００−１の使用者が電話機４００−１の保留ボタンを押下したとき、電話機４００−１は、サーバ１００を経由して、電話機４００−２宛に保留要求を送信する（Ｔ０１）。保留要求を受信した電話機４００−２は、サーバ１００経由して、電話機４００−１宛に保留要求を受信したことの受付信号（ＡＣＫ）を返送し（Ｔ０２）、保留状態となる。ＡＣＫを受信した電話機４００−１は、受話器から受付音を発する（Ｔ０３）。電話機４００−１の使用者は、受付音を聞き、保留音源端末５００の内線番号の一つが登録されているワンタッチボタンを押下する。ワンタッチボタンの押下を受けた電話機４００−１は、サーバ１００を経由して、保留音源端末５００へ発信者番号情報を添付した発信を行う（Ｔ０４）。なお、本実施の形態ではワンタッチボタンで、保留音源端末への発信をしているが、公知の電話帳ダイヤルやテンキーによるダイヤルで発信してもよい。
【００２３】
発信を受信した保留音源端末５００は、受信した発信者番号情報(保留音送出要求)より既に保留されている呼の有無を呼管理情報テーブル５５０より検索する（Ｔ０５）。呼管理情報テーブル５５０に該当する情報が存在しない場合は、自動応答信号をサーバ１００経由で電話機４００−２に送信する（Ｔ０７）。呼管理情報テーブル５５０に該当する情報が存在する場合、つまり既に同じ発信者番号からの操作で保留されている呼がある場合は、後述する保留解除制御へと遷移する。
【００２４】
自動応答信号を受信した電話機４００−１は、保留音源端末５００と接続状態に遷移する。これにより、電話機４００−１と保留音源端末５００は通話状態となり、保留音が電話機４００−１に流れる（T０８）。電話機４００−１の使用者が保留音を確認した上で、電話機４００−１の受話器を置くと、電話機４００−１は、サーバ１００宛に電話機４００−２を保留音源端末５００へ接続する転送要求を送信する（Ｔ０９）。サーバ１００は、電話機４００−１に受付信号を返送し（Ｔ１０）、電話機４００−２に対して保留音源端末５００との接続要求を送信する（Ｔ１１）。電話機４００−２は、電話機４００−１との保留を解除し、保留音源端末５００との接続切替を行う（Ｔ１２）。電話機４００−２は、サーバ１００に受付信号を送信する（Ｔ１３）。
【００２５】
受付信号を受信したサーバ１００は、今度は保留音源端末５００に対して電話機４００−２との接続要求と被転送者（保留音送出先）である電話機４００−２の情報（番号情報）を送信する（Ｔ１４）。保留音源端末５００は、設定テーブル５６０、５７０を検索する（Ｔ１５）。保留音源端末５００は、接続先を電話機４００−２に切替え（Ｔ１６）、ヒットした電話機４００−１または電話機４００−２に対応した保留音データを電話機４００−２に向けて送信する（Ｔ１７）。
【００２６】
ここで、保留音源端末５００は、保留音源送出先の番号が設定テーブル５７０にあれば、その保留音データを送信する。保留音源端末５００は、保留音源送出先の番号が設定テーブル５７０に無ければ自身の内線番号をキーに、内線番号対応の設定テーブル５６０を検索し、該当する保留音データを送信する。
また、本実施の形態では、各電話番号をキーに設定テーブル５６０を検索しているが、保留音データの種類を直接指定するフラグにより指定してもよい。
【００２７】
保留音源端末５００は、電話機４００−２に保留音データの送信を開始すると、長時間保留監視タイマを起動（Ｔ１８）、サーバ１００に対して受付信号を送信する（Ｔ１９）。受付信号を受信したサーバ１００は、電話機４００−１に対して、一連の転送処理（電話機４００−１を保留音源端末５００に転送）が完了したことを転送完了通知として送信する（Ｔ２０）。転送完了通知を受信した電話機４００−１は、サーバに受付信号を返信する（Ｔ２１）。サーバ１００は、電話機４００−１との切断を保留呼切断通知として送信する（Ｔ２２）。保留呼切断通知を受信した電話機４００−１は、サーバに受付信号を返信する（Ｔ２３）。以上で、電話機４００−１は空き状態へと遷移された。
【００２８】
以上は、電話機システムで通常使用される電話機４００−１の転送操作による通話相手（電話機４００−２）を転送先である保留音源端末５００（保留音源端末）に接続することで、電話機４００−２が保留音源端末５００の保留音を聴取することを実現している。
【００２９】
図７を参照して、図６に引き続く保留解除動作シーケンスを説明する。図７において、図６の保留動作で説明したように、電話機４００−１の転送操作により、電話機４００−２は保留音源端末５００の保留音を聴取している状態にある。ここで、電話機４００−１の使用者が保留解除し、電話機４００−２の使用者との通話に戻りたいとき、電話機４００−１の保留音源端末５００の内線番号の一つが登録されているワンタッチボタンを再度押下する。電話機４００−２は、サーバ１００経由保留音源端末５００へ発信者番号情報付で発信する（Ｔ３１）。前記発信に自動応答した保留音源端末５００は、受信した発信者番号情報（保留音送出元）が、呼管理情報テーブル５５０に在るかを検索する（Ｔ３２）。ここでは、既に電話機４００−１からの操作で保留されている呼が存在するため、以下の保留解除動作が実行される。
【００３０】
保留音源端末５００は、応答信号をサーバ１００を経由して電話機４００−１に送信する（Ｔ３３）。保留音源端末５００は、電話機４００−２へ送信している保留音データを停止し、監視タイマをリセットし（Ｔ３４）、サーバ１００経由電話機４００−２に保留要求を送信する（Ｔ３５）。保留要求を受信した電話機４００−２は、受付信号を返信する（Ｔ３６）。受付信号を受信した保留音源端末５００は、サーバ１００に対して電話機４００−２を電話機４００−１へ転送する要求を送信する（Ｔ３７）。転送要求を受信したサーバ１００は、保留音源端末５００へ受付信号を返信し（Ｔ３８）、電話機４００−２に対して電話機４００−１との接続要求を送信する（Ｔ３９）。接続要求を受けた電話機４００−２は、音声の接続先を電話機４００−１に切替え（Ｔ４０）、サーバ１００に受付信号を送信する（Ｔ４１）。
【００３１】
受付信号を受信したサーバ１００は、今度は電話機４００−１に対して電話機４００−２との接続を要求する信号を送信する（Ｔ４２）。接続要求を受信した電話機４００−１は、音声の接続先を電話機４００−２に切替え（Ｔ４３）、サーバ１００に受付信号を送信する（Ｔ４４）。
【００３２】
この時点で電話機４００−１と電話機４００−２の相互接続通話状態が確立され、電話機４００−１は、自己が起動した電話機４００−２との保留が解除された。
【００３３】
受付信号を受信したサーバ１００は、保留音源端末５００に対して、一連の転送処理（電話機４００−２を電話機４００−１に転送）が完了したことを転送完了通知として送信する（Ｔ４６）。転送完了通知を受信した保留音源端末５００は、受付信号を返信する（Ｔ４７）。受付信号を受信したサーバ１００は、保留音源端末５００に、電話機４００−２との保留呼切断を保留呼切断通知として送信する（Ｔ４８）。保留呼切断通知を受信した保留音源端末５００は、呼情報テーブルより呼接続情報を消去し（Ｔ４９）、サーバ１００に受付信号を送信する（Ｔ５０）。
【００３４】
図８を参照して、図６に引き続くタイムアウトによる保留解除動作シーケンスを説明する。図８において、図６の保留動作で説明したように、電話機４００−１の転送操作により、電話機４００−２は保留音源端末５００の保留音を聴取している状態にある。ここで保留音源端末５００は、前記保留動作処理で電話機４００−２に保留音データを送信した際に起動したタイマのタイムアウトを検出する（Ｔ６１）と、保留起動端末である電話機４００−１に対してサーバ１００経由で発信する（Ｔ６２）。このとき、電話機４００−２が空き以外の状態であれば、電話機４００−２はその旨ビジー信号をサーバ１００経由で保留音源端末５００へ返送することで、保留音源端末５００は長時間保留監視タイマを再起動し次回タイムアウト時の処理の準備を行う。
【００３５】
ここでは、電話機４００−１が空き状態として、説明する。電話機４００−１は発信要求を受信すると、呼出中信号をサーバ１００経由保留音源端末５００へ送信し（Ｔ６３）、着信鳴動する（Ｔ６４）。電話機４００−２の使用者が通常の着信と同様に受話器をとって応答すると、電話機４００−１は、サーバ１００経由保留音源端末５００へ応答信号を送信する（Ｔ６５）。応答信号を受信した保留音源端末５００は、受付信号をサーバ１００経由電話機４００−１に送信後（Ｔ６７）、電話機４００−２に対する保留音データ送信を停止する（Ｔ６８）。保留音端末５００は、サーバ１００経由電話機４００−２に保留要求を送信する（Ｔ６９）。保留要求を受信した電話機４００−２は、受付信号を返信する（Ｔ７０）。受付信号を受信した保留音源端末５００は、サーバ１００に対して電話機４００−２を電話機４００−１へ転送する要求を送信する（Ｔ７１）。転送要求を受信したサーバ１００は、保留音源端末５００へ受付信号を返し（Ｔ７２）、電話機４００−２に対して電話機４００−１との接続要求を送信する（Ｔ７３）。接続要求を受信した電話機４００−２は音声の接続先を電話機４００−１に切替え（Ｔ７４）、サーバ１００に受付信号を送信する（Ｔ７５）。
【００３６】
受付信号を受信したサーバ１００は、今度は電話機４００−１に対して電話機４００−２との接続を要求する信号を送信する（Ｔ７７）。接続要求を受信した電話機４００−１は、音声の接続先を電話機４００−２に切替え（Ｔ７８）、サーバ１００に受付信号を送信する（Ｔ７９）。この時点で電話機４００−１と電話機４００−２の相互接続通話状態が確立された。
【００３７】
受付信号を受信したサーバ１００は、保留音源端末５００に対して、一連の転送処理（電話機４００−２を電話機４００−１に転送）が完了したことを転送完了通知として送信する（Ｔ８０）。転送完了通知を受信した保留音源端末５００は受付信号を返信する（Ｔ８１）。受付信号を受信したサーバ１００は保留音源端末５００に、電話機４００−２との切断を保留呼切断通知として送信する（Ｔ８２）。保留呼切断通知を受信した保留音源端末５００は、呼接続情報テーブル５５０の呼接続情報を消去し（Ｔ８３）、サーバ１００に受付信号を送信し（Ｔ８４）、電話機４００−２との呼解放が完了する。
【００３８】
このように保留音源端末５００は電話機４００−２との接続時間（保留時間）を監視し、そのタイムアウトを契機に電話機４００−１へ発信〜電話機４００−１応答〜電話機４００−２を電話機４００−１へ転送の一連の流れによって長時間保留の防止を実現することができる。
【００３９】
以上説明したように、本実施例によれば、異なるメーカ機器を組み合わせたクライアントサーバモデルのＩＰ電話機システムなどの場合、電話機側に複数保留音源を備えることが無く、またサーバ側の持つ保留音を選択するような端末間のインターフェースを新たに具備することもなく、電話機システムが基本機能として持っている転送機能を使用することにより、通話相手に対して送出する保留音データを複数の保留音データから選択することができる。
【００４０】
また、本実施の形態ではIPによる通信で説明してきたが、音源保留端末が複数の内線電話回線を収容することで、PBXに代表されるビジネスフォンシステムにおいても実現する事ができる。
【図面の簡単な説明】
【００４１】
【図１】電話システムのブロック図である。
【図２】保留音源端末のハードウェアブロック図である。
【図３】呼管理情報テーブルを説明する図である。
【図４】内線番号対応の設定テーブルを説明する図である。
【図５】被転送番号対応の設定テーブルを説明する図である。
【図６】保留動作のシーケンス図である。
【図７】保留解除動作のシーケンス図である。
【図８】タイムアウトによる保留解除動作のシーケンス図である。
【符号の説明】
【００４２】
１００…サーバ、２００…ＩＰネットワーク、３００…ゲートウェイ（ＧＷ）、４００…電話機、５００…保留音源端末、５１０…制御部、５２０…記憶部、５３０…ＬＡＮインターフェース部、５４０…プログラム、５５０…呼管理情報テーブル、５６０…内線番号対応の設定テーブル、５７０…保留音送出先の設定テーブル、５８０…バス、５９０…保留音データ、６００…公衆網、１０００…電話システム。
【図１】
2008136091.tif 000003
【図２】
2008136091.tif 000004
【図３】
2008136091.tif 000005
【図４】
2008136091.tif 000006
【図５】
2008136091.tif 000007
【図６】
2008136091.tif 000008
【図７】
2008136091.tif 000009
【図８】
2008136091.tif 000010